(57)【要約】【課題】発電所などの現場作業で用いられる設備系統図や作業手順書などの操作説明図について現場ごとの統一を図る管理装置を提供すること。【解決手段】管理サーバ１はネットワーク５０を介して端末装置２と通信可能に構成される。管理サーバ１の記憶手段１１は、施設内に設けられた複数の設備装置から構成される設備系統図と、施設内で行われる作業についての作業マニュアルと、を記憶する。管理サーバ１の送信手段１２は、端末装置にこの設備系統図と作業マニュアルとを送信する。管理サーバ１の主制御手段１１は、管理者の操作に応じて、記憶手段１５に記憶される設備系統図又は作業手順情報を書き換える。【選択図】図２
2008181233.tif 000002
【特許請求の範囲】
【請求項１】
施設内の複数個所に設けられ所定の情報を表示することが可能な端末装置とネットワークを介して通信可能で、所定の情報を表示することが可能な管理装置であって、
前記施設内に設けられた複数の設備装置から構成され前記複数の設備装置の現在の状態を示す状態情報を含む設備系統図と、前記施設内で行われ前記複数の設備装置の操作を組み合わせることにより構成される作業についての作業手順情報と、を記憶する記憶手段と、
前記記憶手段に記憶される前記設備系統図と前記作業手順情報とを、前記端末装置に送信する送信手段と、
管理者の操作を受け付ける操作部と、
前記操作部により受け付けられる前記管理者の操作に応じて、前記記憶手段に記憶される前記設備系統図又は前記作業手順情報を書き換える主制御手段と、
を備えることを特徴とする管理装置。
【請求項２】
請求項１記載の管理装置において、
前記記憶手段により記憶される前記設備系統図及び前記作業手順情報は、前記複数の設備装置の夫々に対応する装置識別子の情報を含み、
前記主制御手段は、前記操作部により受け付けられる前記管理者の前記設備系統図に含まれる状態情報を書き換える操作に応じて、前記状態情報を書き換えられた装置識別子に対応する設備装置を含む設備系統図を書き換える制御と、前記状態情報を書き換えられた装置識別子に対応する設備装置の操作を含む作業手順情報を書き換える必要がある旨の情報を表示する制御と、を行うことを特徴とする管理装置。
【請求項３】
請求項２記載の管理装置において、
前記送信手段は、書き換えられた前記設備系統図と、前記作業手順情報を書き換える必要がある旨の前記情報と、を前記端末装置に送信することを特徴とする管理装置。
【請求項４】
請求項２又は３記載の管理装置において、
前記施設内の複数の作業員の各々が携帯可能な複数の携帯端末装置からの信号を受信する受信手段を更に備え、
前記主制御手段は、前記受信手段により前記複数の携帯端末からの信号を受信することに応じて、前記状態情報を書き換えることを特徴とする管理装置。
【発明の詳細な説明】
【技術分野】
【０００１】
本発明は、操作説明図の管理装置、特に発電所などの設備系統図や作業手順書についての管理装置に関する。
【背景技術】
【０００２】
従来、発電所などの現場作業において、その作業は作業手順書などの所謂マニュアルに従って行われている。ここで、作業において必要になる設備系統図や作業手順書などの操作説明図うち、バックアップデータは事務所で管理されているが、現場で使用される設備系統図や作業手順書は紙ベースで作成されており、変更が生ずると変更点を設備系統図などに追記し管理していた。
【０００３】
このような設備系統図や作業手順書は、紙ベースであるため大きくかさばる上、修正箇所が増えると現場ごとに設備系統図や作業手順書の内容について統一が取れなくなるおそれがあった。
【０００４】
これらの問題を解決するため、上述した紙ベースの作業手順書の情報を保持したデータベースを備えたサーバと、ディスプレイを備えたヘルメットと、を備え、作業者の作業中に必要な作業手順の情報をサーバからヘルメットに送信する保守支援システムが提案されている（例えば、特許文献１参照）。この保守支援システムによると、作業員はディスプレイを確認することにより、作業手順を把握でき、この作業手順はサーバで管理しているため、作業手順の内容について現場ごとに統一を図ることができる。
【特許文献１】特開２００５−２１６１３７号公報
【発明の開示】
【発明が解決しようとする課題】
【０００５】
しかしながら、このような保守支援システムは、作業手順書についてはデータベース化して現場ごとの統一を図ることができるが、系統図については紙ベースで用いられているものと考えられる。一般に、発電所などの現場作業では、作業手順書だけでなく設備系統図も参考にして作業を行うため、これら設備系統図も現場ごとの統一を図る必要がある。
【０００６】
また、設備系統図を修正した場合は併せて操作手順書も修正する必要があり、特に、発電所などは、その性質上高い安全管理が求められているため、設備系統図と作業手順書との間で内容の統一を図る必要がある。
【０００７】
本発明の目的は、発電所などの現場作業で用いられる設備系統図や作業手順書などの操作説明図について現場ごとの統一を図ることであり、併せてこれらの操作説明図の間で内容の統一を図ることである。
【０００８】
本発明に係る管理装置は、施設内の複数個所に設けられ所定の情報を表示することが可能な端末装置とネットワークを介して通信可能で、所定の情報を表示することが可能な管理装置であって、前記施設内に設けられた複数の設備装置から構成され前記複数の設備装置の現在の状態を示す状態情報を含む設備系統図と、前記施設内で行われ前記複数の設備装置の操作を組み合わせることにより構成される作業についての作業手順情報と、を記憶する記憶手段と、前記記憶手段に記憶される前記設備系統図と前記作業手順情報とを、前記端末装置に送信する送信手段と、管理者の操作を受け付ける操作部と、前記操作部により受け付けられる前記管理者の操作に応じて、前記記憶手段に記憶される前記設備系統図又は前記作業手順情報を書き換える主制御手段と、を備えることを特徴とする。
【０００９】
この発明によれば、管理装置の記憶手段で記憶した設備系統図と作業手順情報とは、送信手段で、施設内の複数個所に設けられた複数の端末装置に送信される。また、管理装置の主制御手段で、管理者の操作に応じて、設備系統図と作業手順情報とを書き換える。
【００１０】
これにより、管理装置で管理する設備系統図や作業手順情報を施設内の複数個所に設けられた端末装置から確認できるため、現場ごとの統一を図ることができる。また、管理装置で管理する設備系統図や作業手順情報は、管理者の操作に応じて書き換え可能であるため、作業時に利用する場合、作業員は常に最新の状態を把握でき、設備系統図や作業手順情報をリアルタイムに管理できる。
【００１１】
この場合、前記記憶手段により記憶される前記設備系統図及び前記作業手順情報は、前記複数の設備装置の夫々に対応する装置識別子の情報を含み、前記主制御手段は、前記操作部により受け付けられる前記管理者の前記設備系統図に含まれる状態情報を書き換える操作に応じて、前記状態情報を書き換えられた装置識別子に対応する設備装置を含む設備系統図を書き換える制御と、前記状態情報を書き換えられた装置識別子に対応する設備装置の操作を含む作業手順情報を書き換える必要がある旨の情報を表示する制御と、を行うことが好ましい。
【００１２】
この発明によれば、管理者の操作に応じて設備系統図に含まれる状態情報が書き換えられることに応じて、主制御手段は、状態情報を書き換えられた装置識別子に対応する設備装置を含む設備系統図を書き換える制御と、状態情報を書き換えられた装置識別子に対応する設備装置の操作を含む作業手順情報を書き換える必要がある旨の情報を表示する制御と、を行う。
【００１３】
これにより、設備系統図の状態情報が書き換えられることにより、設備系統図が書き換えられ、併せて作業手順情報を書き換える必要がある旨の情報が表示されるため、設備系統図と作業手順情報との間で内容の統一を図ることができる。
【００１４】
この場合、前記送信手段は、書き換えられた前記設備系統図と、前記作業手順情報を書き換える必要がある旨の前記情報と、を前記端末装置に送信することが好ましい。
【００１５】
この発明によれば、作業員は端末装置から書き換えられた設備系統図を確認できるため、施設内で設備系統図をリアルタイムで管理できる。また、この際、作業員は端末装置からも作業手順情報を書き換える必要があることを把握できるため、書き換えられる必要のある作業手順書に従って作業を行うことがなく、安全管理の徹底を図ることができる。
【００１６】
この場合、前記施設内の複数の作業員の各々が携帯可能な複数の携帯端末装置からの信号を受信する受信手段を更に備え、前記主制御手段は、前記受信手段により前記複数の携帯端末からの信号を受信することに応じて、前記状態情報を書き換えることが好ましい。
【００１７】
この発明によれば、主制御手段は、作業員の各々が携帯する携帯端末装置からの信号で設備装置の状態情報を書き換える。これにより、現場の作業員が携帯する携帯端末装置を用いて設備装置の状態情報を書き換えることができるため、管理装置を操作するまでもなく設備系統図を書き換えることができる。そのため、施設内で設備系統図をリアルタイムで管理できる。
【発明の効果】
【００１８】
本発明によれば、管理装置で管理する設備系統図や作業手順情報を施設内の複数個所に設けられた端末装置から確認できるため、現場ごとの統一を図ることができる。また、管理装置で管理する設備系統図や作業手順情報は、管理者の操作に応じて書き換え可能であるため、作業時に利用する場合、作業員は常に最新の状態を把握でき、設備系統図や作業手順情報をリアルタイムに管理できる。
【発明を実施するための最良の形態】
【００１９】
以下、本発明の実施形態について図面に基づいて説明する。
【００２０】
［管理システムの構成］
図１は、本発明の一実施形態の管理サーバを備えた発電所内の操作説明図（設備系統図、作業手順書など）の管理システム３０の構成を示す図である。管理システム３０は、１つの管理サーバ１と、管理サーバ１とネットワーク５０を介して通信可能な複数の端末装置２と、から構成される。
【００２１】
管理サーバ１は、発電所内の事務所に設置されており、操作説明図の情報を管理している。端末装置２は、発電所内の複数個所に設けられた中央制御室に設置されており、ネットワーク５０を介して管理サーバから受信した操作説明図の情報などを表示する。
【００２２】
［管理サーバの構成］
図２は、本発明の一実施形態の管理サーバ１の構成を表すブロック図である。
【００２３】
管理サーバ１は、管理サーバ１の全体を制御する主制御手段１１と、ネットワーク５０を介して複数の端末装置２と送受信可能な送受信手段１２と、様々な情報を表示することが可能な表示手段１３と、管理者からの操作を受け付ける操作手段１４と、様々な情報を記憶する記憶手段１５とを備える。
【００２４】
主制御手段１１は、記憶手段１５に記憶されたプログラムに従って、各種の処理を実行する。例えば、主制御手段１１は、管理者からの操作に応じて、記憶手段１５に記憶される情報を書き換える。送受信手段１２は、主制御手段１１の命令に従って、ネットワーク５０を介して複数の端末装置２に記憶手段１５に記憶される情報を送信する。
【００２５】
表示手段１３は、主制御手段１１の命令に従って、様々な情報を表示する。例えば、表示手段１３は、後述の図９のような情報を表示する。操作手段１４は、管理者からの操作を受け付け、所定の信号を主制御手段１１に出力する。
【００２６】
記憶手段１５は、主制御手段１１により、管理サーバ１の動作を制御するためのプログラムを記憶する。また、記憶手段１５は、少なくとも装置状態ＤＢ、設備系統図ＤＢ及び作業手順ＤＢを記憶する。
【００２７】
装置状態ＤＢは、発電所内に設けられた複数の設備装置の現在の状態についての情報を格納する（図３参照）。設備装置の現在の状態には、例えば、動作していることを示す「稼働中」、及び設備装置に問題があり動作していないことを示す「修理中」がある。設備系統図ＤＢは、発電所に設けられた複数の設備装置から構成される複数の設備系統図（図４参照）を複数格納する。この設備系統図は、設備装置の状態を示す情報を含んでいる。作業手順ＤＢは、発電所内で行われる作業についての作業マニュアル（図５参照）を複数格納する。この作業マニュアルは、発電所内に設けられた複数の設備装置の操作を組み合わせることにより構成される。
【００２８】
ここで、管理サーバ１の記憶手段１５に記憶される情報は、ネットワーク５０を介して送受信手段１２により複数の端末装置２に送信される。これにより、管理サーバ１で管理する設備系統図や作業マニュアルを施設内の複数個所に設けられた端末装置から確認できるため、設備系統図や作業マニュアルを現場ごとに統一できる。
【００２９】
［装置状態ＤＢ］
図３は、本発明の一実施形態の管理サーバを備える発電所内に設けられた設備装置の状態を示す装置状態ＤＢである。
【００３０】
この装置状態ＤＢは、各設備装置に対して設けられる装置識別子の情報と、各設備装置の現在の状態を示す情報と、現在の状態に対応する状態識別子の情報とを備えている。装置識別子は、各設備装置に一対一で対応し、例えば、ボイラには装置識別子１０１が対応する。状態識別子は、装置の状態と一対一で対応し、例えば、状態が稼働中である場合には状態識別子Ａが対応し、状態が修理中である場合には状態識別子Ｂが対応する。
【００３１】
［設備系統図］
図４は、火力発電設備の構成を示す設備系統図である。この設備系統図は、前述の設備系統図ＤＢに格納される複数の設備系統図の一例である。
【００３２】
図４によると、この火力発電設備は、化石燃料を燃焼させ、燃焼熱を発生させるボイラ１０１と、ボイラ１０１内の熱交換器内部を循環するボイラ水を過熱して蒸気を発生させるための一次過熱器１０２と、一次過熱器１０２により発生した蒸気を更に過熱する二次過熱器１０３と、一次過熱器１０２と二次過熱器１０３との間の蒸気の流通を制御する過熱器連結経路弁１２２と、過熱された蒸気の圧力を利用して回転する高圧・中圧タービン１０４と、海水により蒸気を冷却して復水を生成するための復水器１０７と、一次過熱器１０２から復水器１０７へボイラ水を流通させるため迂回経路であるボイラ水バイパス経路１２１と、ボイラ水バイパス経路１２１上の一次過熱器１０２側の末端に位置する第一バイパス経路電磁弁１２３と、ボイラ水バイパス経路１２１上の復水器１０７側の末端に位置する第二バイパス経路電磁弁１２４と、復水器１０７から低圧給水加熱器１１４、１１５、脱気器１１８、及び高圧給水加熱器１１０、１１１などを経由して、一次過熱器１０２へ復水を流通させるための、復水・給水管１２０と、復水・給水管１２０上に備えられ、高圧・中圧タービン１０４から抽気された抽気蒸気と復水との間での熱交換を行う高圧給水加熱器１１０、１１１と、高圧給水加熱器１１０、１１１において、復水を流通させるための熱交換用細管（図示せず）と、を備える。
【００３３】
また、高圧給水加熱器１１０、１１１は、抽気蒸気を冷却して得られるドレンを貯水するための加熱室（図示せず）と、加熱室から復水・給水管１２０にドレンを排水するためのドレン排水管１２５と、復水・給水管１２０にドレンを送り出すためのドレンポンプ１１９と、ドレン排水管１２５上に設けられた調節弁１１２、１１３と、を備える。
【００３４】
ここで、設備系統図に示される複数の設備装置は、図３に示す装置識別子の情報と、状態識別子の情報とが関連付けられて作成される。すなわち、ボイラ１０１には装置識別子１０１と、その状態が稼働中であることを示す状態識別子Ａとが関連付けられて作成される。
【００３５】
［作業マニュアル］
図５は、火力発電設備を駆動させる際の作業マニュアルを示す図である。この作業マニュアルは、前述の作業手順ＤＢに格納される複数の作業マニュアルの一例である。
【００３６】
作業マニュアルは、作業の手順に対して設けられる作業内容の情報と、この作業に用いる設備装置に対応する装置識別子の情報とを備えている。
【００３７】
図５を参照すると、手順が１の場合には、復水器１０７に海水を注入する。この場合の作業は、復水器１０７を用いて行われるため、手順１には、復水器１０７に対応する装置識別子１０７が対応付けられている。
【００３８】
［フローチャート］
図６は、状態識別子が書き換えられた際に行われる処理を示すフローチャートである。
【００３９】
ステップＳ１では、主制御手段１１は状態識別子を書き換える。すなわち、例えば、設備装置に異常があることを発見すると、管理者は対応する設備装置に対応する状態識別子を書き換える操作を行う。主制御手段１１は、かかる操作に応じて状態識別子を書き換える。
【００４０】
すると、図７に示すように、装置状態ＤＢが書き換えられる。すなわち、図７を参照すると、図４でボイラ（装置識別子１０１）の状態識別子がＡであったのが、図７では状態識別子がＢに書き換えられている。そのため、ボイラの状態が稼働中から修理中に書き換えられている。
【００４１】
図６を参照して、ステップＳ２では、主制御手段１１は書き換えられた装置識別子を判別する。図７を参照すると、ボイラに対応する装置識別子１０１が書き換えられた装置識別子と判別される。
【００４２】
ステップＳ３では、判別した装置識別子を含む設備系統図を書き換える。前述のように、設備系統図に示される複数の設備装置は、装置識別子の情報と、状態識別子の情報とが関連付けられて作成されている。そのため、図８に示すように、設備系統図が書き換えられる。
【００４３】
ここで、図８を参照すると、ボイラ１０１の周辺には図３では示されていない修理画像２００が示されている。修理画像２００は修理中であることを示す画像であり、図８によるとボイラ１０１が修理中であることを把握できる。このように、状態識別子が稼働中から修理中に書き換えられると、設備系統図には対応する設備装置の周辺に修理画像２００が示される。なお、図示はしないが、状態識別子が修理中から稼働中に書き換えられた場合には、対応する設備装置の周辺に示された修理画像２００が消える。
【００４４】
すなわち、状態識別子が書き換えられることに応じて、書き換えられた装置識別子に対応する装置を含む設備系統図が自動的に書き換えられる。
【００４５】
図６を参照して、ステップＳ４では、判別した装置識別子に対応する装置を用いた手順及びこの手順を含む作業マニュアルを判別する。前述のように、作業マニュアルには手順ごとに装置識別子が対応付けられている。そのため、主制御手段１１は判別した装置識別子と、手順ごとに対応付けられた装置識別子とを比べることにより、手順及び作業マニュアルを判別できる。
【００４６】
ここで、ボイラ１０１の状態識別子が書き換えられた場合には、ボイラ１０１に対応する装置識別子を用いた手順及びその手順を含む作業マニュアルが判別されるため、少なくとも図５に示した作業マニュアルが判別される。
【００４７】
ステップＳ５では、主制御手段１１は、判別した手順及び作業マニュアルに対する警告を行う。具体的には、主制御手段１１は、図９に示す警告画面を表示手段１３に表示させる。この処理の後、本フローチャートは終了する。
【００４８】
図９を参照すると、表示手段１３には警告画像３００が表示される。警告画像３００は、状態識別子が書き換えられた設備装置を用いた手順及びその手順を含む作業マニュアルを確認する旨を警告する画像である。すなわち、警告画像３００によると、管理者は、火力発電設備駆動開始時の作業マニュアル（図５）の手順ｎを確認する必要があることを把握できる。
【００４９】
ここで、状態識別子を書き換えることにより自動的に書き換えられた設備系統図及び警告画像３００はネットワーク５０を介して複数の端末装置２に送信される。
【００５０】
このように、管理サーバで管理する設備系統図や作業手順情報は、管理者の操作に応じて書き換え可能であり、また、作業員は端末装置から書き換えられた設備系統図を確認できるため、施設内で設備系統図をリアルタイムで管理できる。
【００５１】
特に、設備系統図の状態識別子が書き換えられることにより、設備系統図が書き換えられ、併せて作業手順情報を書き換える必要がある旨の画像が表示されるため、設備系統図と作業手順情報との間で内容の統一を図ることができる。
【００５２】
この際、作業員は端末装置からも作業マニュアルを書き換える必要があることを把握できるため、書き換えられる必要のある作業マニュアルに従って作業を行うことがなく、安全管理の徹底を図ることができる。
【００５３】
以上、本発明の実施形態について説明したが、本発明は前記実施形態に限定されるものではなく、本発明の目的を達成できる範囲での変形、改良などは本発明に含まれるものである。
【００５４】
例えば、発電所内の設備装置の保守・点検を行う作業員の各々に管理サーバ１と通信可能な携帯端末装置を携帯させ、この携帯端末装置からの信号に応じて、装置状態ＤＢに格納される状態識別子を書き換えるようにしてもよい。すなわち、作業員が設備装置の保守・点検を行っている最中に異常を発見した場合に、この携帯端末装置を操作することにより直ちに状態識別子を書き換えるようにしてもよい。
【００５５】
これにより、現場の作業員が携帯する携帯端末装置を用いて設備装置の状態情報を書き換えることができるため、管理サーバ１を操作するまでもなく設備系統図を書き換えることができる。そのため、施設内で設備系統図をリアルタイムで管理できる。
【図面の簡単な説明】
【００５６】
【図１】本発明の一実施形態の管理サーバを備えた発電所内の操作説明図の管理システムの構成を示す図である。
【図２】本発明の一実施形態の管理サーバの構成を表すブロック図である。
【図３】前記管理サーバに記憶される装置状態ＤＢを示す図である。
【図４】前記管理サーバに記憶される火力発電設備の構成を示す設備系統図である。
【図５】前記管理サーバに記憶される作業マニュアルを示す図である。
【図６】前記管理サーバの状態識別子が書き換えられた際に行われる処理を示すフローチャートである。
【図７】状態識別子が書き換えられた際の装置状態ＤＢを示す図である。
【図８】状態識別子が書き換えられた際の火力発電設備の構成を示す設備系統図である。
【図９】前記管理サーバの表示手段に表示される表示例である。
【符号の説明】
【００５７】
１    管理サーバ（管理装置）
２    端末装置
１１    主制御手段
１２    送受信手段
１３    表示手段
１４    操作手段
１５    記憶手段
３０    管理システム
５０    ネットワーク
【図１】
2008181233.tif 000003
【図２】
2008181233.tif 000004
【図３】
2008181233.tif 000005
【図４】
2008181233.tif 000006
【図５】
2008181233.tif 000007
【図６】
2008181233.tif 000008
【図７】
2008181233.tif 000009
【図８】
2008181233.tif 000010
【図９】
2008181233.tif 000011